【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
装飾中間層組成物であって、前記中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の複合充填剤が、熱硬化性ポリマーマトリックス中に分散された鉱物充填剤を含有する組成物から得られる複合材料から本質的になる、装飾中間層組成物。
【請求項２】
少なくとも１つの装飾中間層を含むラミネートであって、前記装飾中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の充填剤が、熱硬化性ポリマーマトリックス中に分散された鉱物充填剤を含有する組成物から得られる複合材料から本質的になる、ラミネート。
【請求項３】
ラミネートを含む物品であって、前記ラミネートが装飾中間層を含み、前記装飾中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の充填剤が、熱硬化性ポリマーマトリックス中に分散された鉱物充填剤を含有する組成物から得られる複合材料から本質的になる、物品。
【請求項４】
（１）熱可塑性樹脂を少なくとも１種類の複合充填剤とブレンドする段階；（２）中間層材料として使用するのに適しているシートまたはフィルムとして、樹脂／複合充填剤ブレンドを押出し成形する段階；（３）前記中間層を少なくとも１つの他の透明材料とラミネートする段階；を含む、装飾ラミネートを製造する方法であって、前記複合充填剤が粒子を含有し、前記粒子の少なくとも約８０重量％がＮｏ．８０米国標準ふるい上に保持され、かつ前記中間層が：（ｉ）曇り度約２０〜約１００％を有し、（ｉｉ）入射光の約１０〜９０％未満を透過し、（ｉｉｉ）透明度約１〜８０％を有し、かつ前記の少なくとも１種類の充填剤が、熱硬化性ポリマーマトリックス中に分散された鉱物充填剤を含有する組成物から得られる複合材料から本質的になる、方法。
【手続補正２】
【補正対象書類名】明細書
【補正対象項目名】００５３
【補正方法】変更
【補正の内容】
【００５３】
表  ５
2008519102.tif 000001
a厚さ０．７６  ｍｍを有するシートの透過率に正規化された透過率
次に、本発明の好ましい態様を示す。
1.  装飾中間層組成物であって、前記中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の複合充填剤が、熱硬化性ポリマーマトリックス中に分散された鉱物充填剤を含有する組成物から得られる複合材料から本質的になる、装飾中間層組成物。
2.  前記中間層が、前記の少なくとも１種類の複合充填剤約１重量％〜約２０重量％を含む、上記１に記載の中間層。
3.  前記の少なくとも１種類の複合充填剤が、前記複合充填剤粒子の少なくとも約８５重量％がＮｏ．８０標準ふるい上に保持される平均粒径を有する、上記２に記載の中間層。
4.  前記の少なくとも１種類の複合充填剤が、前記複合充填剤粒子の少なくとも約９０重量％がＮｏ．８０標準ふるい上に保持される平均粒径を有する、上記３に記載の中間層。
5.  前記複合充填剤粒子の少なくとも約６５重量％が、Ｎｏ．１２米国標準ふるいを通過する、上記４に記載の中間層。
6.  前記複合充填剤粒子の１００重量％が、Ｎｏ．１２米国標準ふるいを通過する、上記５に記載の中間層。
7.  前記複合充填剤、前記鉱物充填剤が、ＣａＣＯ3（炭酸カルシウム）、シリカ、アルミナ、および酸化チタンなどの酸化物からなる群における鉱物から選択される、上記６に記載の中間層。
8.  前記熱硬化性ポリマーマトリックスが、アクリル樹脂、ポリエステル樹脂、およびエポキシ樹脂からなる群におけるポリマーから選択されるポリマーから形成される、上記７に記載の中間層。
9.  前記熱硬化性ポリマーマトリックスが、炭素原子１〜６個を有するアルキル基を含有するアルキルアクリレートから形成される、上記８に記載の中間層。
10.  前記熱硬化性ポリマーマトリックスが、メチルメタクリレートから形成される、上記９に記載の中間層。
11.  少なくとも１つの装飾中間層を含むラミネートであって、前記装飾中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の充填剤が、熱硬化性ポリマーマトリックス中に分散された鉱物充填剤を含有する組成物から得られる複合材料から本質的になる、ラミネート。
12.  前記ラミネートが、少なくとも１枚のガラスシートを含む、上記１１に記載のラミネート。
13.  前記ラミネートがさらに、非装飾中間層材料である、少なくとも１つの更なるポリマー中間層を含む、上記１２に記載のラミネート。
14.  前記ラミネートが、装飾中間層の多層を含む、上記１１に記載のラミネート。
15.  ラミネートを含む物品であって、前記ラミネートが装飾中間層を含み、前記装飾中間層は、粒子を含有する少なくとも１種類の複合充填剤がブレンドされた熱可塑性樹脂を含み、前記充填剤粒子の少なくとも約８０重量％が、Ｎｏ．８０米国標準ふるい上に保持され、前記中間層が：（１）曇り度約２０〜約１００％を有し、（２）入射光の約１０〜約９０％未満を透過し、（３）透明度約１〜８０％を有し、かつ前記の少なくとも１種類の充填剤が、熱硬化性ポリマーマトリックス中に分散された鉱物充填剤を含有する組成物から得られる複合材料から本質的になる、物品。
16.  前記物品が、キャビネットの戸、テーブルトップ、テーブルカバー、カウンタートップ、玄関の戸、ドアパネル、シャワードア、床のタイル、天井のタイル、段板、壁のタイル、壁の汚れ止め板、器具の戸、器具のカバー、部屋の仕切り、棚材料、キャビネットである、上記１５に記載の物品。
17.  （１）熱可塑性樹脂を少なくとも１種類の複合充填剤とブレンドする段階；（２）中間層材料として使用するのに適しているシートまたはフィルムとして、樹脂／複合充填剤ブレンドを押出し成形する段階；（３）前記中間層を少なくとも１つの他の透明材料とラミネートする段階；を含む、装飾ラミネートを製造する方法であって、前記複合充填剤が粒子を含有し、前記粒子の少なくとも約８０重量％がＮｏ．８０米国標準ふるい上に保持され、かつ前記中間層が：（ｉ）曇り度約２０〜約１００％を有し、（ｉｉ）入射光の約１０〜９０％未満を透過し、（ｉｉｉ）透明度約１〜８０％を有し、かつ前記の少なくとも１種類の充填剤が、熱硬化性ポリマーマトリックス中に分散された鉱物充填剤を含有する組成物から得られる複合材料から本質的になる、方法。